(57)【要約】【課題】ユーザーの利便性を高めた浴室乾燥運転を実現することのできる給湯システムを提供する。【解決手段】給湯システムは、浴槽内の浴水の熱を貯湯タンク内へ回収する廃熱回収運転を実行可能な給湯機と、浴室を乾燥する浴室乾燥運転を実行可能な浴室乾燥機と、廃熱回収運転と浴室乾燥運転を制御する制御部と、を備える。制御部は、給湯機に対する廃熱回収運転の開始指示が出されたか否かを判定する。そして、判定の成立が認められた場合には、廃熱回収運転を開始する。次に、制御部は、浴室乾燥機による浴室乾燥運転が実行中であるか否かを判定する。その結果、判定の成立が認められない場合には、浴室乾燥機による浴室乾燥運転を自動で開始する。【選択図】図５
2018155469.tif 000002
【特許請求の範囲】
【請求項１】
浴槽内の浴水の熱を貯湯タンク内へ回収する廃熱回収運転を実行可能な給湯機と、
浴室を乾燥する浴室乾燥運転を実行可能な浴室乾燥機と、
前記廃熱回収運転を開始した後又は開始と同時期に前記浴室乾燥運転を自動で開始する連携運転を実行可能な制御部と、
を備えることを特徴とする給湯システム。
【請求項２】
前記廃熱回収運転を開始させるユーザー操作を受け付ける手段を備えることを特徴とする請求項１に記載の給湯システム。
【請求項３】
前記制御部は、前記連携運転において、前記廃熱回収運転を終了した後に前記浴室乾燥運転を開始するように構成されていることを特徴とする請求項１又は請求項２に記載の給湯システム。
【請求項４】
前記制御部は、前記浴室乾燥機又は前記給湯機に内蔵されていることを特徴とする請求項１から請求項３の何れか１項に記載の給湯システム。
【請求項５】
前記給湯機の運転状態又は前記浴室乾燥機の運転状態をユーザーに報知する報知手段を備えることを特徴とする請求項１から請求項４の何れか１項に記載の給湯システム。
【請求項６】
前記連携運転を実施するか否かをユーザーが選択可能とする選択手段を備えることを特徴とする請求項１から請求項５の何れか１項に記載の給湯システム。
【請求項７】
前記給湯機は、加熱手段により前記貯湯タンク内の水を沸き上げる沸上げ運転を実行可能に構成され、
前記制御部は、前記沸上げ運転と前記連携運転における前記浴室乾燥運転が同時期に行なわれることを制限するように構成されていることを特徴とする請求項１から請求項６の何れか１項に記載の給湯システム。
【請求項８】
前記制御部は、電気料金が他の時間帯よりも安価な時間帯に前記沸上げ運転及び前記浴室乾燥運転が完了するように運転条件及び運転時間を調整するように構成されていることを特徴とする請求項７に記載の給湯システム。
【発明の詳細な説明】
【技術分野】
【０００１】
本発明は、給湯システムに関する。
【背景技術】
【０００２】
例えば、特許文献１には、浴室乾燥機と排水栓とを連動して制御するヒートポンプ温水器が開示されている。この装置では、より詳しくは、排出口の開放ボタンを操作することにより、排出口が開放されるとともに浴室乾燥機が乾燥モードで自動的に運転される。このような制御によれば、使用者が浴室から出た後に浴室を乾燥するための操作を別途行う手間が排除される。
【先行技術文献】
【特許文献】
【０００３】
【特許文献１】特開２００６−１７０５６１号公報
【発明の概要】
【発明が解決しようとする課題】
【０００４】
しかしながら、上記の技術には以下の課題がある。すなわち、浴室乾燥は、最終入浴者が浴室から出た後、極力早い時期に開始されることが望ましい。しかしながら、浴槽内の残湯は、例えば廃熱回収運転に利用されることも想定される。このため、排水栓の開放と連動して浴室乾燥を自動で開始する上記従来の技術では、廃熱回収運転を行う場合において浴室乾燥運転が速やかに実行されないという課題がある。
【０００５】
本発明は、上述のような課題を解決するためになされたもので、ユーザーの利便性を高めた浴室乾燥運転を実現することのできる給湯システムを提供することを目的とする。
【課題を解決するための手段】
【０００６】
本発明に係る給湯システムは、浴槽内の浴水の熱を貯湯タンク内へ回収する廃熱回収運転を実行可能な給湯機と、浴室を乾燥する浴室乾燥運転を実行可能な浴室乾燥機と、廃熱回収運転を開始した後又は開始と同時期に浴室乾燥運転を自動で開始する連携運転を実行可能な制御部と、を備えるものである。
【発明の効果】
【０００７】
本発明の給湯機によれば、廃熱回収運転を開始した後又は開始と同時期に浴室乾燥運転を自動で開始することができるので、ユーザーの利便性を高めた浴室乾燥を実現することのできる給湯システムを提供することを目的とする。
【図面の簡単な説明】
【０００８】
【図１】実施の形態１の給湯システムの構成図である。
【図２】実施の形態１のリモコン４４の一例を示す外観図である。
【図３】実施の形態１の給湯システム１の沸上げ運転時の回路構成図である。
【図４】実施の形態１の給湯システム１における廃熱回収運転時の回路構成図である。
【図５】実施の形態１の給湯システムにおいて実行されるルーチンのフローチャートである。
【図６】実施の形態２の給湯システムにおいて実行されるルーチンのフローチャートである。
【発明を実施するための形態】
【０００９】
以下、図面を参照して本発明の実施の形態について説明する。ただし、各図において共通する要素には、同一の符号を付して重複する説明を省略する。なお、以下に示す実施の形態において各要素の個数、数量、量、範囲等の数に言及した場合、特に明示した場合又は原理的に明らかにその数に特定される場合を除いて、その言及した数に、この発明が限定されるものではない。また、以下に示す実施の形態において説明する構造は、特に明示した場合又は明らかに原理的にそれに特定される場合を除いて、この発明に必ずしも必須のものではない。
【００１０】
実施の形態１．
［実施の形態１の構成］
図１は、本発明の実施の形態１の給湯システムの構成図である。給湯システム１は、貯湯式の給湯機３５と、浴室４０を乾燥させる浴室乾燥機４１と、リモコン４４とを備えている。浴室乾燥機４１は、温風或いは乾燥空気を浴室４０内に導入して浴室４０内を乾燥させる浴室乾燥運転を実行可能な装置である。浴室乾燥機４１には、制御部４２が内蔵されている。浴室乾燥機４１によって実行される浴室乾燥運転は、制御部４２により制御される。
【００１１】
給湯機３５は、貯湯タンク８を備えるタンクユニット３３と、ヒートポンプサイクルを利用するヒートポンプユニット７とを備えている。以下の説明では、ヒートポンプユニット７をＨＰユニット７とも称する。なお、本実施の形態では、タンクユニット３３とヒートポンプユニット７とが別体である構成を例に説明するが、当該構成に代えて、この両者が一体化していてもよい。ＨＰユニット７とタンクユニット３３との間は、ＨＰ往き配管１４、ＨＰ戻り配管１５、及び図示しない電気配線を介して接続されている。タンクユニット３３には、制御部３６が内蔵されている。タンクユニット３３およびＨＰユニット７が備える各種弁類、ポンプ類などのアクチュエータの作動は、これらと電気的に接続された制御部３６により制御される。以下、給湯機３５の各構成要素について説明する。
【００１２】
ＨＰユニット７は、タンクユニット３３が備える貯湯タンク８から導かれた水を加熱する加熱手段の例である。加熱手段は、ヒートポンプユニット７に限定されない。加熱手段は、ガス、灯油、重油、石炭のような燃料の燃焼熱で加熱する燃焼式加熱装置でもよい。加熱手段は、太陽熱によって水を加熱する装置でもよい。加熱手段は、複数種類の加熱装置を組み合わせたものでもよい。
【００１３】
ＨＰユニット７は、圧縮機、水−冷媒熱交換器、膨張弁、及び空気熱交換器を冷媒循環配管にて環状に接続した冷媒回路（何れも図示せず）を備える。ＨＰユニット７は、この冷媒回路の冷媒を循環させることで、冷凍サイクルすなわちヒートポンプサイクルの運転を行う。なお、ＨＰユニット７で高温水を得るためには、ヒートポンプサイクルは、冷媒として二酸化炭素を用い、臨界圧を超える圧力で運転することが好ましい。
【００１４】
タンクユニット３３には、以下の各種部品及び配管などが内蔵されている。貯湯タンク８は、湯水を貯留する。貯湯タンク８の内部では、温度による水の密度の差によって、上側が高温で下側が低温になる温度成層を形成することができる。説明の便宜上、貯湯タンク８について、上部、中部、及び下部を定める。貯湯タンク８の中部は、貯湯タンク８の上部と、貯湯タンク８の下部との間の高さの部分である。貯湯タンク８の容量の１／３ずつに相当する部分をそれぞれ上部、中部、下部とみなしてもよいし、それとは異なる位置を境に上部、中部、及び下部を定めてもよい。貯湯タンク８において上側から順に上部、中部、下部の順になっていればよい。なお、本発明において、貯湯タンクが、直列に接続された複数のタンクを備える場合には、最上位のタンクから最下位のタンクまでの複数のタンク全体の階層において、上部、中部、及び下部を定めればよい。
【００１５】
貯湯タンク８の下部には、水源からの給水である低温水を供給する給水管路９の第３給水配管９ｃが接続されている。給水管路９については後述する。貯湯タンク８の上部には、貯湯タンク８内に貯留された湯を給湯機３５の外部へ供給するための第１給湯配管２１が接続されている。
【００１６】
タンクユニット３３内には、熱源ポンプ１２、ふろ用熱交換器２０、及びふろ循環ポンプ２９が内蔵されている。熱源ポンプ１２は、タンクユニット３３内の後述する各種配管に湯水を循環させるためのポンプである。ふろ用熱交換器２０は、浴槽３０の湯を利用して、貯湯タンク８に貯留される湯水を加熱するための熱交換器である。また、ふろ用熱交換器２０は、貯湯タンク８又はＨＰユニット７から供給される高温湯を利用して、浴槽３０の湯水を加熱することもできる。なお、本実施の形態では、ふろ用熱交換器２０の２次側の構成として、浴槽３０内の湯水を循環させるふろ往き配管２７及びふろ戻り配管２８によって構成される循環回路を備えている。ふろ循環ポンプ２９は、ふろ戻り配管２８の途中に設けられている。ふろ用熱交換器２０は、ふろ往き配管２７及びふろ戻り配管２８を介して浴槽３０と接続され、これらにより循環回路が形成されている。
【００１７】
三方弁１１は、湯水が流出するａ、ｂポートと、湯水が流入するｃポートとを有する流路切替手段である。四方弁１８は、湯水が流入するｂ、ｃポートと、湯水が流出するａ、ｄポートとを有する流路切替手段であり、４つの経路、ａ−ｂ、ａ−ｃ、ｂ−ｄ、ｃ−ｄの間で流路切替可能に構成されている。また、タンクユニット３３は、第１送湯配管１３、第２送湯配管１９、温水導入配管２０ａ、第１バイパス配管１６、温水導出配管２０ｂ、および第２バイパス配管１７を有している。ＨＰ往き配管１４は、ＨＰユニット７の入口側と貯湯タンク８下部とを接続する。上述した熱源ポンプ１２は、ＨＰ往き配管１４に設けられている。ＨＰ戻り配管１５は、ＨＰユニット７の出口側と四方弁１８のｃポートとを接続する。第１送湯配管１３は、四方弁１８のｄポートと、三方弁１１のｃポートとを接続する。第２送湯配管１９は、三方弁１１のａポートと、第１給湯配管２１の途中とを接続する。第１バイパス配管１６は、四方弁１８のａポートと、貯湯タンク８の下部又は中部とを接続する。温水導入配管２０ａは、三方弁１１のｂポートと、ふろ用熱交換器２０の１次側入口とを接続する。温水導出配管２０ｂは、ふろ用熱交換器２０の１次側出口と貯湯タンク８中部とを接続する。第２バイパス配管１７は、ＨＰ往き配管１４における熱源ポンプ１２とＨＰユニット７の入口側との間から分岐し、四方弁１８のｂポートに接続される。
【００１８】
更に、タンクユニット３３は、第１給水配管９ａ、第２給水配管９ｂ、ふろ用混合弁２３、を有している。第１給水配管９ａの一端は水道等の水源に接続されている。第１給水配管９ａの他端には減圧弁３１を介して第２給水配管９ｂおよび第３給水配管９ｃが接続されている。第１給水配管９ａ、第２給水配管９ｂ及び第３給水配管９ｃによって給水管路９が構成されている。第２給水配管９ｂは、ふろ用混合弁２３の給水側のポートに接続されている。第１給水配管９ａを通って水道等の水源から供給される水は、減圧弁３１で規定圧力に調圧された上で、貯湯タンク８内の下部又はふろ用混合弁２３の給水側のポートに流入する。第１給湯配管２１の他端はふろ用混合弁２３の給湯側のポートに接続されている。第２給湯配管２５は、ふろ用混合弁２３の出湯側のポートとふろ往き配管２７の途中とを接続する。第２給湯配管２５の途中には、第２給湯配管２５を開閉するふろ用電磁弁２６が設けられている。
【００１９】
ふろ用混合弁２３は、第１給湯配管２１から供給される高温湯と、第２給水配管９ｂから供給される低温水との流量比を調整するためのものである。制御部３６は、当該流量比を調整することにより、使用者がリモコン４４にて設定した設定温度の湯を生成する。ふろ用混合弁２３で設定温度に調整された湯は、第２給湯配管２５からふろ用電磁弁２６、ふろ往き配管２７、ふろ戻り配管２８を経て浴槽３０に供給される。なお、給湯機３５は、浴槽３０への湯水の供給手段に限らず、貯湯タンク８から供給される高温湯と、第２給水配管９ｂから供給される低温水との流量比を調整することにより給湯栓等の給湯端末に湯水を供給する手段を更に備えていてもよい。
【００２０】
三方弁１１は、第１送湯配管１３と第２送湯配管１９とが連通する形態と、第１送湯配管１３と温水導入配管２０ａとが連通する形態との２つの流路形態で、タンクユニット３３内の湯水の流路を切り替えて使用する。四方弁１８は、ＨＰ戻り配管１５と第１送湯配管１３とが連通する形態と、ＨＰ戻り配管１５と第１バイパス配管１６とが連通する形態と、第１バイパス配管１６と第２バイパス配管１７とが連通する形態と、第１送湯配管１３と第２バイパス配管１７とが連通する形態との４つの流路形態で、タンクユニット３３内の湯水の流路を切り替えて使用する。
【００２１】
リモコン４４は、運転動作指令及び設定値の変更に関するユーザーの操作を受け付ける機能を有する。リモコン４４は、端末装置またはユーザーインターフェース装置の例である。制御部３６，４２とリモコン４４の間は、有線または無線により、双方向にデータ通信可能に接続されている。なお、制御部３６と制御部４２とはＨＥＭＳ（Home Energy Management System）等の通信手段を用いて相互通信を行うように構成されていてもよい。リモコン４４は、台所に設置されてもよい。リモコン４４は、浴室に設置されてもよい。異なる場所に設置される複数台のリモコン４４が備えられてもよい。
【００２２】
図２は、本発明の実施の形態１のリモコン４４の一例を示す外観図である。リモコン４４は、表示部４４ａと、スピーカー４４ｃと、ユーザーが操作するスイッチ等を有する操作部４４ｂとを備えている。表示部４４ａは、例えば、液晶表示パネルまたは有機ＥＬ表示パネルによって構成される。表示部４４ａは、文字、図形、キャラクタ等を表示することで、給湯機３５及び浴室乾燥機４１のうちの少なくとも一方の運転状態に関する情報をユーザーに報知できる。なお、リモコン４４は、スピーカー４４ｃから音声ガイダンスを出力することによってもユーザーに報知できる。
【００２３】
［実施の形態１の動作］
実施の形態１の給湯システム１では、以下の図３及び図４に示す運転状態に応じて三方弁１１及び四方弁１８を制御して、タンクユニット３３内の湯水の流路を切り替えて使用するようになっている。図３は、実施の形態１の給湯システム１の沸上げ運転時の回路構成図である。なお、ここでいう沸上げ運転とは、ＨＰユニット７を利用して貯湯タンク８内の水を沸き上げる運転のことである。この沸上げ運転時には、三方弁１１は、ａポートとｃポートとが連通しｂポートが閉状態となるように制御される。これにより、第１送湯配管１３と第２送湯配管１９とが連通するとともに、温水導入配管２０ａの側を閉としてふろ用熱交換器２０への流路が遮断される。また、沸上げ運転時には、四方弁１８は、ｃポートとｄポートとが連通しａポートとｂポートとが閉状態となるように制御される。これにより、ＨＰ戻り配管１５と第１送湯配管１３とが連通するとともに、第１バイパス配管１６と第２バイパス配管１７の側を閉として貯湯タンク８の下部への流路が遮断される。
【００２４】
沸上げ運転は、上記のように三方弁１１、および四方弁１８が制御された状態で、熱源ポンプ１２とＨＰユニット７の運転を開始することにより実行される。その結果、貯湯タンク８の下部から流出する低温の水は、ＨＰ往き配管１４を経由してＨＰユニット７に導かれる。そして、ＨＰユニット７に流入した低温の水は、沸き上げ用熱交換器において加熱されて高温の水となる。加熱された高温の水は、ＨＰ戻り配管１５、四方弁１８、第１送湯配管１３、三方弁１１、第２送湯配管１９及び第１給湯配管２１を経由して、貯湯タンク８の上部から当該貯湯タンク８内に流入し蓄積される。このような沸上げ運転が実行されることで、貯湯タンク８の内部では、上層部から高温水が貯えられていき、この高温水層が徐々に厚くなる。
【００２５】
実施の形態１の給湯システム１では、浴槽３０の湯から廃熱を回収する廃熱回収運転が行われる。図４は、実施の形態１の給湯システム１における廃熱回収運転時の回路構成図である。なお、ここでいう廃熱回収運転とは、入浴後に浴槽３０に残った浴水が有する廃熱を貯湯タンク８内に回収する運転である。貯湯タンク８の下部には、例えば５℃〜２０℃程度の水が給水管路９から流入する。ユーザーが入浴を終了した後の浴水の温度は、例えば３０℃から４０℃程度である。廃熱回収運転を行うことで、貯湯タンク８の下部の低温水を、入浴終了後の浴水の廃熱により加熱して、貯湯タンク８内に戻すことができる。廃熱回収運転を行うことで、入浴後に浴槽３０に残った浴水の廃熱を再利用することが可能となるので、省エネルギーの効果が得られる。
【００２６】
廃熱回収運転は、ユーザーがリモコン４４を操作して運転の開始指示を入力することにより実行される。廃熱回収運転時には、三方弁１１は、ｂポートとｃポートとが連通しａポートが閉状態となるように制御される。これにより、第１送湯配管１３と温水導入配管２０ａとが連通するとともに、第２送湯配管１９の側を閉として貯湯タンク８への流路が遮断される。また、廃熱回収運転時には、四方弁１８は、ｂポートとｄポートとが連通しａポートとｃポートとが閉状態となるように制御される。これにより、第２バイパス配管１７と第１送湯配管１３とが連通するとともに、ＨＰ戻り配管１５と第１バイパス配管１６の側を閉として貯湯タンク８の下部及びＨＰユニット７への流路が遮断される。
【００２７】
廃熱回収運転は、上記のように三方弁１１、および四方弁１８が制御された状態で、熱源ポンプ１２とふろ循環ポンプ２９の運転を開始することにより実行される。その結果、浴槽３０内の浴水は、ふろ戻り配管２８を流通してふろ用熱交換器２０の二次側へと送られる。一方、貯湯タンク８の下部から流出する低温の水は、ＨＰ往き配管１４、第２バイパス配管１７、四方弁１８、第１送湯配管１３、及び温水導入配管２０ａを経由してふろ用熱交換器２０の一次側に導かれる。ふろ用熱交換器２０に流入した低温の水は、浴水の熱を受け取ることで、温度が上昇し、例えば３０℃程度の中温水になる。この中温水は、ふろ用熱交換器２０から、温水導出配管２０ｂを経由して、貯湯タンク８の中部に流入し、貯留される。
【００２８】
なお、ふろ用熱交換器２０にて冷却された浴水がふろ往き配管２７を流通して浴槽３０に戻ることで、浴槽３０内の浴水の温度は低下する。制御部３６は、浴水の温度が基準の温度以下になった時点で、熱源ポンプ１２及びふろ循環ポンプ２９を停止し、廃熱回収運転を終了する構成としてもよい。
【００２９】
ここで、廃熱回収運転の開始指示がユーザー操作によって入力された場合には、最終入浴者の入浴が完了したことが想定される。最終入浴者の入浴が完了している場合には、速やかに浴室乾燥運転を行いカビの発生を防止することが望ましい。そこで、本実施の形態のシステムでは、廃熱回収運転の開始が指示された場合に、給湯機３５と浴室乾燥機４１の連携運転を自動で行うこととしている。以下、フローチャートに沿って本実施の形態の連携運転について更に詳しく説明する。
【００３０】
図５は、実施の形態１の給湯システムにおいて実行されるルーチンのフローチャートである。図５に示すルーチンのステップＳ１では、給湯機３５に対する廃熱回収運転の開始指示が出されたか否かが判定される。ここでは、具体的には、ユーザー操作によってリモコン４４の操作部４４ｂから廃熱回収運転の開始指示が入力されたか否かが判定される。その結果、判定の成立が認められない場合には本ルーチンは終了され、判定の成立が認められた場合には次のステップＳ２へと移行する。
【００３１】
次のステップＳ２では、廃熱回収運転が開始される。次のステップＳ３では、浴室乾燥機４１による浴室乾燥運転が実行中であるか否かが判定される。その結果、判定の成立が認められた場合には本ルーチンは終了され、判定の成立が認められない場合には次のステップＳ４へと移行する。ステップＳ４では、浴室乾燥機４１による浴室乾燥運転が自動で開始される。
【００３２】
このように、実施の形態１の給湯システムによれば、廃熱回収運転の開始指示が出された場合において、浴室乾燥運転が実行中でないときには、廃熱回収運転を開始した後に浴室乾燥運転が自動で開始される。これにより、浴室乾燥運転の開始指示をユーザーがリモコン４４の操作部４４ｂから別途入力しなくても浴室乾燥運転を自動で開始することができるので、ユーザーの利便性を高めた浴室乾燥を実現することが可能となる。
【００３３】
ところで、上述した実施の形態１の給湯システム１は、以下のように変形した形態を採用してもよい。
【００３４】
上述した実施の形態１の給湯システム１では、廃熱回収運転を開始した後に浴室乾燥運転が自動で開始される制御とした。しかしながら、浴室乾燥運転を開始するタイミングはこれに限らず、例えば廃熱回収運転の開始と同時期に浴室乾燥運転が自動で開始される制御としてもよい。また、浴室乾燥運転を開始するタイミングは廃熱回収運転を開始した直後に限らず、浴室乾燥運転が終了した後に浴室乾燥運転が自動で開始される制御としてもよい。
【００３５】
廃熱回収運転の開始指示を受け付けるユーザー操作は、リモコン４４の操作部４４ｂへの入力に限られない。すなわち、例えばリモコン４４に音声認識機能を搭載し、廃熱回収運転の開始指示をユーザーの音声から受け付けるように構成してもよい。
【００３６】
制御部３６は給湯機３５に内蔵されていなくてもよい。また、制御部４２は浴室乾燥機４１に内蔵されていなくてもよい。制御部３６及び制御部４２は、共通の単一制御部として構成されていてもよい。この場合、単一制御部は給湯機３５に内蔵されていてもよいし、また、浴室乾燥機４１に内蔵されていてもよい。
【００３７】
給湯システム１は、廃熱回収運転の運転状態及び浴室乾燥運転の運転状態、又はこれらの運転の何れか一方の運転状態をユーザーに報知する報知手段を備えていてもよい。ユーザーへの報知は、リモコン４４の表示部４４ａへの表示でもよいし、スピーカー４４ｃからの音声出力でもよい。
【００３８】
また、実施の形態１の給湯システム１は、上述した廃熱回収運転と浴室乾燥運転の連携運転を実施するか否かをユーザーが選択するための選択手段を更に備えていてもよい。このような手段としては、例えば、ユーザーがリモコン４４の操作部４４ｂから連携運転の実施／非実施を選択できるように構成すればよい。
【００３９】
実施の形態２．
次に、本発明の実施の形態２の給湯システムについて説明する。
【００４０】
上述した連携運転によって浴室乾燥機４１による浴室乾燥運転が実行されている場合に、沸上げ運転の開始指示が出されることがある。上述したように、沸上げ運転ではＨＰユニット７が作動される。このため、浴室乾燥運転と沸上げ運転が同時期に行なわれると、ピーク電力が高まることが想定される。そこで、実施の形態２の給湯システムでは、浴室乾燥運転と沸き上げ運転との連携運転を行うことで、これらの運転が同時期に行われることを制限することとしている。以下、フローチャートに沿って、本実施の形態の連携運転について更に詳しく説明する。
【００４１】
図６は、実施の形態２の給湯システムにおいて実行されるルーチンのフローチャートである。図６に示すルーチンのステップＳ１１では、給湯機３５に対する沸上げ運転の開始指示が出されたか否かが判定される。その結果、判定の成立が認められない場合には本ルーチンは終了され、判定の成立が認められた場合には次のステップＳ１２へと移行する。
【００４２】
次のステップＳ１２では、浴室乾燥機４１による浴室乾燥運転が実行中であるか否かが判定される。その結果、判定の成立が認められた場合にはステップＳ１３へと移行し、判定の成立が認められない場合にはステップＳ１４へと移行する。ステップＳ１３では、浴室乾燥機４１による浴室乾燥運転が自動で終了されてステップＳ１４へと移行する。ステップＳ１４では、給湯機３５の沸上げ運転が開始されて、本ルーチンは終了される。
【００４３】
このように、実施の形態２の給湯システムによれば、浴室乾燥運転が実行中に沸上げ運転の開始指示が出された場合に、浴室乾燥運転が自動で終了される。これにより、浴室乾燥運転と沸上げ運転が同時期に行なわれることを防いでピーク電力を自動で抑えることができる。
【００４４】
ところで、電力消費量の大きい浴室乾燥運転及び沸上げ運転は、電気料金が他の時間帯よりも安価な深夜時間帯に行うことが好ましい。そこで、実施の形態２の給湯システムでは、これらの運転が深夜時間帯に完了するように、これらの運転の運転条件及び運転時間を自動で調整するように構成されていてもよい。
【符号の説明】
【００４５】
１  給湯システム、  ７  ヒートポンプユニット（ＨＰユニット）、  ８  貯湯タンク、  ９  給水管路、  ９ａ  第１給水配管、  ９ｂ  第２  給水配管、  ９ｃ  第３給水配管、  １１  三方弁、  １２  熱源ポンプ、  １３  第１送湯配管、  １４  ＨＰ往き配管、  １５  ＨＰ戻り配管、  １６  第１バイパス配管、  １７  第２バイパス配管、  １８  四方弁、  １９  第２送湯配管、  ２０  ふろ用熱交換器、  ２０ａ  温水導入配管、  ２０ｂ  温水導出配管、  ２１  第１給湯配管、  ２３  ふろ用混合弁、  ２５  第２給湯配管、  ２６  ふろ用電磁弁、  ２７  ふろ往き配管、  ２８  ふろ戻り配管、  ２９  ふろ循環ポンプ、  ３０  浴槽、  ３１  減圧弁、  ３３  タンクユニット、  ３５  給湯機、  ３６，４２  制御部、  ４０  浴室、  ４１  浴室乾燥機、  ４４  リモコン、  ４４ａ  表示部、  ４４ｂ  操作部、  ４４ｃ  スピーカー
【図１】
2018155469.tif 000003
【図２】
2018155469.tif 000004
【図３】
2018155469.tif 000005
【図４】
2018155469.tif 000006
【図５】
2018155469.tif 000007
【図６】
2018155469.tif 000008